(57)【要約】【課題】電線保護規制カバーを電線の配索方向に沿って設けた複数のコネクタに対して組み付けることができるコネクタユニットを提供すること。【解決手段】端子付きの電線Ｗの端子Ｃを収容するコネクタハウジング２０を含むコネクタ１０と、コネクタハウジング２０から引き出した電線Ｗを配索方向に誘導し、かつ電線Ｗを保護するようにコネクタハウジング２０の電線引き出し口２０ａに組み付ける電線保護規制カバー３０と、を有するコネクタユニット１において、電線保護規制カバー３０は、有底の筒状をなし、かつ、他の電線保護規制カバー３０から配索した電線Ｗを貫通させて配索方向に誘導するための電線Ｗの入口、あるいは出口になるとともに、電線引き出し口２０ａからの電線Ｗを配索方向に引き出す出口ともなる二つの電線挿通口３１、３１を電線保護規制カバー３０の側壁３０ａに形成する。【選択図】図１
2015088256.tif 000002
【特許請求の範囲】
【請求項１】
端子付きの電線の端子を収容するコネクタハウジングを含むコネクタと、前記コネクタハウジングから引き出した前記電線を配索方向に誘導し、かつ前記電線を保護するように前記コネクタハウジングの電線引き出し口に組み付ける電線保護規制カバーと、を有するコネクタユニットにおいて、
前記電線保護規制カバーは、
有底の筒状をなし、かつ、他の前記電線保護規制カバーから配索した前記電線を貫通させて配索方向に誘導するための該電線の入口、あるいは出口になるとともに、前記電線引き出し口からの前記電線を配索方向に引き出す出口ともなる二つの電線挿通口を当該電線保護規制カバーの側壁に形成すること
を特徴とするコネクタユニット。
【請求項２】
前記電線保護規制カバーは、
軸対称であり、
前記コネクタハウジングは、
該コネクタハウジングの電線引き出し側端部が前記電線保護規制カバーの開口側端部と軸を同じくして該開口側端部に嵌合可能な軸対称形状をなす
ことを特徴とする請求項１に記載のコネクタユニット。
【請求項３】
当該コネクタユニットは、
前記電線保護規制カバーを前記コネクタハウジングに対して軸中心に回転した複数の向きで前記電線保護規制カバーと前記コネクタハウジングとを係止する軸中心回転用係止部
をさらに有することを特徴とする請求項２に記載のコネクタユニット。
【請求項４】
前記電線保護規制カバーは、
軸に直交する断面外形が正方形状をなし、
前記コネクタハウジングは、
該コネクタハウジングの電線引き出し側端部が前記電線保護規制カバーの開口側端部と嵌合可能に軸に直交する断面外形が正方形状をなす
ことを特徴とする請求項１、２または３に記載のコネクタユニット。
【請求項５】
前記電線保護規制カバーは、
該電線保護規制カバーの開口側端部の軸に直交する断面外形が円状をなし、
前記コネクタハウジングは、
該コネクタハウジングの電線引き出し側端部が前記開口側端部と嵌合可能に軸に直交する断面外形が円状をなす
ことを特徴とする請求項１、２または３に記載のコネクタユニット。
【発明の詳細な説明】
【技術分野】
【０００１】
本発明は、コネクタと、コネクタハウジングの電線引き出し口に組み付ける電線保護規制カバーと、を有するコネクタユニットに関する。
【背景技術】
【０００２】
従来、車両には電子機器に電力、あるいは制御信号等を伝えるため電線を配索する。この電線は、端部に取り付けた端子をコネクタの端子収容室に収容するため、コネクタから引き出した電線が周辺のケース等に噛みこんで損傷しないように、コネクタ周辺の電線を束ねて保護する必要がある。
例えば、特許文献１には、コネクタから引き出した電線を束ねて保護するとともに、電線を配索方向に誘導するプロテクタ（電線保護規制カバー）が記載されている。
【先行技術文献】
【特許文献】
【０００３】
【特許文献１】特開２０１３−１０５５２４号公報
【発明の概要】
【発明が解決しようとする課題】
【０００４】
しかしながら、特許文献１に記載した電線保護規制カバーは、電線の入口、あるいは出口となる二つの電線挿通口の各電線挿通口が電線の入口、あるいは出口となるようにその形状を定めており、電線の配索方向に沿って設けた複数のコネクタに組み付ける場合、各電線挿通口の電線の入口、あるいは出口に限定した機能では、コネクタに対して組み付けることができないという問題があった。
【０００５】
本発明は、上記に鑑みてなされたものであって、電線保護規制カバーを電線の配索方向に沿って設けた複数のコネクタに対して組み付けることができるコネクタユニットを提供することを目的とする。
【課題を解決するための手段】
【０００６】
上述した課題を解決し、目的を達成するために、本発明の請求項１に係るコネクタユニットは、端子付きの電線の端子を収容するコネクタハウジングを含むコネクタと、前記コネクタハウジングから引き出した前記電線を配索方向に誘導し、かつ前記電線を保護するように前記コネクタハウジングの電線引き出し口に組み付ける電線保護規制カバーと、を有するコネクタユニットにおいて、前記電線保護規制カバーは、有底の筒状をなし、かつ、他の前記電線保護規制カバーから配索した前記電線を貫通させて配索方向に誘導するための該電線の入口、あるいは出口になるとともに、前記電線引き出し口からの前記電線を配索方向に引き出す出口ともなる二つの電線挿通口を当該電線保護規制カバーの側壁に形成することを特徴とする。
【０００７】
また、本発明の請求項２に係るコネクタユニットは、上記の発明において、前記電線保護規制カバーは、軸対称であり、前記コネクタハウジングは、該コネクタハウジングの電線引き出し側端部が前記電線保護規制カバーの開口側端部と軸を同じくして該開口側端部に嵌合可能な軸対称形状をなすことを特徴とする。
【０００８】
また、本発明の請求項３に係るコネクタユニットは、上記の発明において、当該コネクタユニットは、前記電線保護規制カバーを前記コネクタハウジングに対して軸中心に回転した複数の向きで前記電線保護規制カバーと前記コネクタハウジングとを係止する軸中心回転用係止部をさらに有することを特徴とする。
【０００９】
また、本発明の請求項４に係るコネクタユニットは、上記の発明において、前記電線保護規制カバーは、軸に直交する断面外形が正方形状をなし、前記コネクタハウジングは、該コネクタハウジングの電線引き出し側端部が前記電線保護規制カバーの開口側端部と嵌合可能に軸に直交する断面外形が正方形状をなすことを特徴とする。
【００１０】
また、本発明の請求項５に係るコネクタユニットは、上記の発明において、前記電線保護規制カバーは、該電線保護規制カバーの開口側端部の軸に直交する断面外形が円状をなし、前記コネクタハウジングは、該コネクタハウジングの電線引き出し側端部が前記開口側端部と嵌合可能に軸に直交する断面外形が円状をなすことを特徴とする。
【発明の効果】
【００１１】
本発明の請求項１に係るコネクタユニットは、有底の筒状をなし、かつ、他の前記電線保護規制カバーから配索した前記電線を貫通させて配索方向に誘導するための前記電線の入口、あるいは出口になるとともに、前記電線引き出し口からの前記電線を配索方向に引き出す出口ともなる二つの前記電線挿通口を前記電線保護規制カバーの側壁に形成し、前記電線の配索方向に沿って設けた複数の前記コネクタに組み付ける場合、各電線挿通口を前記電線の入口、あるいは出口として機能を限定せず、前記コネクタに対して組み付けることができるので、前記電線保護規制カバーを前記電線の配索方向に沿って設けた複数の前記コネクタに対して組み付けることができる。
【００１２】
本発明の請求項２に係るコネクタユニットは、前記電線保護規制カバーが軸対称であり、前記電線引き出し口側の端部である前記電線引き出し側端部が前記開口側端部と軸を同じくして前記開口側端部に嵌合可能な軸対称形状をなすので、前記二つの電線挿通口の互いの向きに前記電線保護規制カバーの前記コネクタハウジングに対する組付け方向が限定されない、すなわち、前記電線保護規制カバーは、隣り同士に配置する前記電線保護規制カバーに対して前記二つの電線挿通口のどちらを向けて前記コネクタハウジングに組み付けてもよいため、前記コネクタに対して前記電線保護規制カバーを容易に組み付けることができる。
【００１３】
本発明の請求項３に係るコネクタユニットは、前記軸中心回転用係止部が前記電線保護規制カバーを前記コネクタハウジングに対して軸中心に回転した複数の向きで、前記電線保護規制カバーと前記コネクタハウジングとを係止するので、前記電線の多様な配索方向に対応することができる。
【００１４】
本発明の請求項４に係るコネクタユニットは、前記電線保護規制カバーの軸に直交する断面外形が正方形状をなし、前記電線引き出し側端部が前記開口側端部と嵌合可能に軸に直交する断面外形が正方形状をなすので、前記電線保護規制カバーを前記コネクタハウジングに対して軸中心に９０°回転するごとに安定して前記電線保護規制カバーと前記コネクタハウジングとを係止することができる。
【００１５】
本発明の請求項５に係るコネクタユニットは、前記開口側端部の軸に直交する断面外形が円状をなし、前記電線引き出し側端部が前記開口側端部と嵌合可能に軸に直交する断面外形が円状をなすので、前記電線保護規制カバーが前記コネクタハウジングに対して回転角度に自由度を持って軸中心に回転することができる。
【図面の簡単な説明】
【００１６】
【図１】図１は、本発明の実施例に係るコネクタユニットの分解斜視図である。
【図２】図２は、図１に示したコネクタユニットの斜視図である。
【図３】図３は、図１に示したコネクタユニットと相手コネクタとが接続した状態を示す斜視図であり、（ａ）と（ｂ）とがそれぞれ、電線保護規制カバーがコネクタに対して電線挿通口を異なる方向に向けて組み付けた状態を示す図である。
【図４】図４は、電線保護規制カバーを複数のコネクタハウジングに取り付ける手順を示す図である。
【図５】図５は、電線保護規制カバーを複数のコネクタハウジングに取り付ける手順を示す図である。
【図６】図６は、電線保護規制カバーを複数のコネクタハウジングに取り付ける手順を示す図である。
【図７】図７は、複数のコネクタが一直線上に並んでいない状態を示す図である。
【図８】図８は、電線保護規制カバーをコネクタハウジングに対して９０°回転して取り付けたものを組み合わせて配索する一例を示す図である。
【図９】図９は、本発明の実施例に係るコネクタユニットの変形例のコネクタユニットの分解斜視図である。
【図１０】図１０は、（ａ）と（ｂ）が電線保護規制カバーをコネクタハウジングに対して軸中心に異なる方向に向けて取り付けたコネクタユニットの斜視図である。
【発明を実施するための形態】
【００１７】
以下、図面を参照して、本発明に係るコネクタユニットの好適な実施例を詳細に説明する。
【実施例】
【００１８】
図１は、本発明の実施例に係るコネクタユニット１の分解斜視図である。なお、図１では、コネクタ１０に接続する相手コネクタ１００の斜視図を示し、コネクタ１０から引き出す電線Ｗについて省略している。図２は、図１に示したコネクタユニット１の斜視図である。なお、図２では、コネクタ１０から引き出す電線Ｗについて省略している。図３は、図１に示したコネクタユニット１と相手コネクタ１００とが接続した状態を示す斜視図であり、（ａ）と（ｂ）とがそれぞれ、電線保護規制カバー３０がコネクタ１０に対して電線挿通口３１を異なる方向に向けて組み付けた状態を示す図である。
本発明の実施例に係るコネクタユニット１は、車両等に配索する電線に用いるものである。
【００１９】
このコネクタユニット１は、端子付きの電線Ｗの端子Ｃを収容するコネクタハウジング２０を含むコネクタ１０と、コネクタハウジング２０から引き出した電線Ｗを配索方向に誘導し、かつ電線Ｗを保護するようにコネクタハウジング２０の電線引き出し口２０ａに組み付ける電線保護規制カバー３０と、を有する。
【００２０】
まず、コネクタ１０について説明する。
コネクタハウジング２０は、合成樹脂等の絶縁材からなり、略直方体のブロック形状をなす。このコネクタハウジング２０は、内部に端子付きの電線Ｗの端子Ｃを収容する端子収容室２１を有する。なお、この実施例では、端子Ｃが雌端子であるものを例示したが、これに限定せず、雄端子であっても構わない。
【００２１】
また、コネクタハウジング２０は、電線引き出し口２０ａ側の端部である電線引き出し側端部２０ｂが電線保護規制カバー３０の開口側の端部である開口側端部３０ｃと嵌合可能な形状をなす。この電線引き出し側端部２０ｂは、電線保護規制カバー３０の軸Ａと軸を同じくして開口側端部に嵌合可能な軸対称形状をなす。より具体的には、開口側端部３０ｃと嵌合するように軸Ａに直交する断面外形が正方形状をなす。
また、コネクタ１０は、図１に示す相手コネクタ１００に接続するようになっている。
【００２２】
次に、電線保護規制カバー３０について説明する。
電線保護規制カバー３０は、有底であり軸対称の筒状をなし、かつ、他の電線保護規制カバー３０から配索した電線Ｗを貫通させて配索方向に規制するための電線Ｗの入口、あるいは出口になるとともに、電線引き出し口２０ａからの電線Ｗを配索方向に引き出す出口ともなる二つの電線挿通口３１、３１を電線保護規制カバー３０の側壁３０ａに形成する。
【００２３】
この電線保護規制カバー３０は、より具体的には、合成樹脂等の絶縁材からなり、軸Ａに直交する断面外形が正方形状をなす。各電線挿通口３１、３１は、側壁３０ａの向かい合うそれぞれの面に形成し、側壁３０ａ、および底壁３０ｂによって囲われた内壁面によって、電線Ｗを配索方向に誘導するようになっている。
【００２４】
また、電線保護規制カバー３０は、各電線挿通口３１、３１に開口側の端部である開口側端部３０ｃから二つの電線挿通口３１、３１の各電線挿通口３１、３１に電線Ｗを誘導する二つのガイドスリット３２、３２を有する。
【００２５】
また、電線保護規制カバー３０は、コネクタハウジングに取り付けるため押圧操作する押圧操作面３３を底壁３０ｂの外表面３０ｄに形成する。
押圧操作面３３は、押圧方向に直交する面を外表面３０ｄのほぼ全域に形成してなる。
【００２６】
また、コネクタユニット１は、電線保護規制カバー３０をコネクタハウジング２０に対して軸中心に回転した複数の向きで電線保護規制カバー３０とコネクタハウジング２０とを係止する軸中心回転用係止部４０を有する。
【００２７】
軸中心回転用係止部４０は、電線保護規制カバー３０側に設けたカバー側係止部４１と、コネクタハウジング２０側に設けたコネクタ側係止部４２と、を有する。
カバー側係止部４１は、電線保護規制カバー３０の開口側端部３０ｃの４隅に内周面から突起するように設けたカバー側係止突起４１ａを有する。
【００２８】
コネクタ側係止部４２は、電線引き出し側端部２０ｂの４隅に外周面から突起するように設けたコネクタ側係止突起４２ａを有する。
各カバー側係止突起４１ａと、各コネクタ側係止突起４２ａとは、軸対称の互いに対応した位置に設け、電線引き出し側端部２０ｂと開口側端部３０ｃとが嵌合する際、互いの突起をのり越えて嵌合完了位置で電線保護規制カバー３０とコネクタハウジング２０とを係止する。
【００２９】
ここで、電線保護規制カバー３０は、有底の筒状をなし、かつ、他の電線保護規制カバー３０から配索した電線Ｗを貫通させて配索方向に誘導するための電線Ｗの入口、あるいは出口になるとともに、電線引き出し口２０ａからの電線Ｗを配索方向に引き出す出口ともなる二つの電線挿通口３１，３１を有するので、電線Ｗの配索方向に沿って設けた複数のコネクタ１０に組み付ける場合、各電線挿通口３１、３１を電線Ｗの入口、あるいは出口として機能を限定せず、コネクタ１０に対して組み付けることができる。
【００３０】
また、電線保護規制カバー３０は、有底であり軸対称の筒状をなし、二つの電線挿通口３１、３１を互いに軸対称となるように側壁３０ａに形成しているので、二つの電線挿通口３１、３１の互いの向きに電線保護規制カバー３０のコネクタハウジング２０に対する組付け方向が限定されない。
すなわち、電線保護規制カバー３０は、隣りに配置した電線保護規制カバー３０に対して二つの電線挿通口３１、３１のどちらを向けてコネクタハウジング２０に組み付けてもよいため、電線Ｗの配索方向に沿って設けた複数のコネクタ１０に対して用いることができる。
【００３１】
また、二つの電線挿通口３１、３１のどちらを電線Ｗの配索方向に向けてもよいため、電線保護規制カバー３０をコネクタハウジング２０に容易に組み付けることができる。
【００３２】
また、図３に示すように、二つの電線挿通口３１、３１のどちらについてもコネクタハウジング２０から引き出した電線Ｗを挿通して配線方向（矢印Ｄ１、Ｄ２）に誘導することができる。
【００３３】
また、電線保護規制カバー３０が軸Ａに直交する断面外形が正方形状をなし、コネクタハウジング２０の電線引き出し側端部２０ｂが開口側端部３０ｃと嵌合可能に軸Ａに直交する断面外形が正方形状をなすので、電線保護規制カバー３０をコネクタハウジング２０に対して軸中心に９０°回転させるごとにコネクタハウジング２０に安定して係止できる。
このため、図３（ａ）および図３（ｂ）に示すように、二つの電線挿通口３１、３１の向きを９０°回転させて、電線Ｗの配索方向を変化させることができる。
【００３４】
次に、図４−図８を用いて、電線Ｗの配索作業において電線保護規制カバー３０を複数のコネクタハウジング２０に取り付ける手順について説明する。
図４―図６は、電線保護規制カバー３０を複数のコネクタハウジング２０に取り付ける手順を示す図である。図７は、複数のコネクタ１０が一直線上に並んでいない状態を示す図である。図８は、電線保護規制カバー３０をコネクタハウジング２０に対して９０°回転して取り付けたものを組み合わせて配索する一例を示す図である。
なお、この説明では複数のコネクタ１０が一直線上に並ぶようにして電線Ｗを配索するものを例示する。
【００３５】
まず、作業者は、一つのコネクタ１０に対して電線保護規制カバー３０を電線挿通口３１が電線Ｗの配索方向（図４中、矢印Ｄ）に向くようにコネクタハウジング２０に組み付ける（図４（ａ）、（ｂ）参照）。
この作業では、コネクタハウジング２０から引き出した電線Ｗを電線保護規制カバー３０の一方の電線挿通口３１を電線Ｗの出口として電線Ｗを配索方向に引き出し、電線保護規制カバー３０をコネクタハウジング２０に組み付ける。
また、この作業では、コネクタハウジング２０から引き出した電線Ｗを各ガイドスリット３２、３２から各電線挿通口３１、３１に誘導するようにして電線保護規制カバー３０をコネクタハウジング２０に容易に組みつ付けることができる。
また、二つの電線挿通口３１、３１のうち、いずれか一方の電線挿通口３１を電線Ｗの配索方向図４中、矢印Ｄ）に向けて電線保護規制カバー３０をコネクタハウジング２０に組み付ければよい。
ここで、コネクタハウジング２０から引き出した電線Ｗを配索方向側の一方の電線挿通口３１から引き出すように屈曲した状態で電線保護規制カバー３０をコネクタハウジング２０に取り付ける。このとき、電線保護規制カバー３０は、押圧操作面３３を嵌合方向に押圧することによって、容易に取り付けることができる。
これにより、コネクタハウジング２０から引き出した電線Ｗは、電線保護規制カバー３０によって、束ねられ、かつ、配索方向に誘導される。
【００３６】
その後、作業者は、電線Ｗの配索方向に沿って並ぶ別のコネクタ１０に対して電線保護規制カバー３０を電線挿通口３１が電線Ｗの配索方向に向くようにコネクタハウジング２０に組み付ける（図５（ｃ）、（ｄ）参照）。
なお、この作業でも、コネクタハウジング２０から引き出した電線Ｗを電線保護規制カバー３０の一方の電線挿通口３１を電線Ｗの出口として電線Ｗを配索方向に引き出し、電線保護規制カバー３０をコネクタハウジング２０に組み付ける。
また、この作業でも、ネクタハウジング２０から引き出した電線Ｗを各ガイドスリット３２、３２から各電線挿通口３１、３１に誘導するようにして電線保護規制カバー３０をコネクタハウジング２０に容易に組みつ付けることができる。
さらに、ここでも、上述の組み付け作業と同様に、二つの電線挿通口３１、３１のうち、いずれか一方の電線挿通口３１を電線Ｗの配索方向図４中、矢印Ｄ）に向けて電線保護規制カバー３０をコネクタハウジング２０に組み付ければよい。
ここでは、コネクタハウジング２０から引き出した電線Ｗを配索方向側の一方の電線挿通口３１から引き出すように屈曲した状態、かつ既に他のコネクタハウジング２０に組み付けた他の電線保護規制カバー３０から引き出した電線Ｗを一方の電線挿通口３１から他方の電線挿通口３１に貫通するように通した状態で電線保護規制カバー３０をコネクタハウジング２０に組み付ける。
すなわち、電線保護規制カバー３０の一方の電線挿通口３１が他の電線保護規制カバー３０から引き出した電線Ｗの入口となり、他方の電線挿通口３１が電線保護規制カバー３０から引き出した電線Ｗの出口として機能している。
ここでも、上述の組み付け作業と同様に電線保護規制カバー３０は、押圧操作面３３を嵌合方向に押圧することによって、容易に取り付けることができる。
このような作業を繰り返し、電線Ｗの配索方向に沿って並ぶ複数のコネクタ１０に電線保護規制カバー３０を組み付けることによって、電線Ｗを束ねつつ配索方向に誘導することができる（図６参照）。
【００３７】
なお、この手順では、複数のコネクタ１０が一直線上に並ぶようにして電線Ｗを配索するものを例示したが、これに限らず、図７に示すように、複数のコネクタ１０が一直線上に並ばなくても構わない。
【００３８】
また、８図に示すように、電線保護規制カバー３０をコネクタハウジング２０に対して９０°回転して取り付けたものを組み合わせて配索するようにしてもよい。
【００３９】
本発明の実施例に係るコネクタユニット１は、有底の筒状をなし、かつ、他の電線保護規制カバー３０から配索した電線Ｗを貫通させて配索方向に誘導するための電線Ｗの入口、あるいは出口になるとともに、電線引き出し口２０ａからの電線Ｗを配索方向に引き出す出口ともなる二つの電線挿通口３１、３１を電線保護規制カバー３０の側壁３０ａに形成し、電線Ｗの配索方向に沿って設けた複数のコネクタ１０に組み付ける場合、各電線挿通口３１、３１を電線Ｗの入口、あるいは出口として機能を限定せず、コネクタ１０に対して組み付けることができるので、電線保護規制カバー３０を電線Ｗの配索方向に沿って設けた複数のコネクタ１０に対して組み付けることができる。
【００４０】
また、本発明の実施例に係るコネクタユニット１は、電線保護規制カバー３０が軸対称であり、電線引き出し口２０ａ側の端部である電線引き出し側端部２０ｂが開口側端部３０ｃと軸Ａを同じくして開口側端部３０ｃに嵌合可能な軸対称形状をなすので、二つの電線挿通口３１、３１の互いの向きに電線保護規制カバー３０のコネクタハウジング２０に対する組付け方向が限定されない、すなわち、電線保護規制カバー３０は、隣り同士に配置する電線保護規制カバー３０に対して二つの電線挿通口３１、３１のどちらを向けてコネクタハウジング２０に組み付けてもよいため、コネクタ１０に対して電線保護規制カバー３０を容易に組み付けることができる。
【００４１】
また、本発明の実施例に係るコネクタユニット１は、軸中心回転用係止部４０が電線保護規制カバー３０をコネクタハウジング２０に対して軸中心に回転した複数の向きで、電線保護規制カバー３０とコネクタハウジング２０とを係止するので、電線Ｗの多様な配索方向に対応することができる。
【００４２】
また、本発明の実施例に係るコネクタユニット１は、電線保護規制カバー３０の軸Ａに直交する断面外形が正方形状をなし、電線引き出し側端部２０ｂが開口側端部３０ｃと嵌合可能に軸に直交する断面外形が正方形状をなすので、電線保護規制カバー３０をコネクタハウジング２０に対して軸中心に９０°回転するごとに安定して電線保護規制カバー３０とコネクタハウジング２０とを係止することができる。
【００４３】
（変形例）
次に、図９および図１０を用いて、本発明の実施例に係るコネクタユニット１の変形例について説明する。図９は、本発明の実施例に係るコネクタユニット１の変形例のコネクタユニット２の分解斜視図である。図１０は、（ａ）と（ｂ）が電線保護規制カバー６０をコネクタハウジング５０に対して軸中心に異なる方向に向けて取り付けたコネクタユニット２の斜視図である。
この変形例のコネクタユニット２は、開口側端部６０ｃの軸Ａに直交する断面外形が円状なし、電線引き出し側端部２０ｂが開口側端部６０ｃと嵌合可能に軸Ａに直交する断面外形が円状をなす点で実施例のコネクタユニット１と異なる。
なお、その他の構成は実施例と同様であり、実施例と同一構成部分には同一符号を付している。
【００４４】
コネクタユニット２は、コネクタハウジング５０に対して電線保護規制カバー６０を軸中心に回転した複数の向きで電線保護規制カバー６０とコネクタハウジング５０とを係止する軸中心回転用係止部７０を有する。
【００４５】
軸中心回転用係止部７０は、電線保護規制カバー６０側に設けたカバー側係止部７１と、コネクタハウジング５０側に設けたコネクタ側係止部７２と、を有する。
カバー側係止部７１は、電線保護規制カバー６０の開口側端部６０ｃの内周面に沿って等間隔を隔てて突起するように設けた複数のカバー側係止凸部７１ａを有する。
【００４６】
コネクタ側係止部７２は、電線引き出し側端部５０ｂの外周面に沿って等間隔を隔ててカバー側係止凸部７１ａを嵌め込む凹状のコネクタ側係止凹部７２ａを有する。
各カバー側係止凸部７１ａと、各コネクタ側係止凹部７２ａとは、軸対称の互いに対応した位置に設け、電線引き出し側端部５０ｂと開口側端部６０ｃとが嵌合する際、凹凸によって嵌め合い係止する。
ここで、開口側端部６０ｃの軸Ａに直交する断面外形が円状なし、電線引き出し側端部５０ｂが開口側端部６０ｃと嵌合可能に軸Ａに直交する断面外形が円状をなすので、電線保護規制カバー６０は、コネクタハウジング５０に対して軸中心に所定の角度で回転させるごとにコネクタハウジング５０に固定するようになっている。
このため、図１０に示すように、二つの電線挿通口６１、６１の向きを軸中心に所定の角度で回転させた向きで、電線の配索方向を変化させることができる。
【００４７】
この変形例に係るコネクタユニット２は、実施例のコネクタユニット１と同様の効果を奏するとともに、開口側端部３０ｃの軸Ａに直交する断面外形が円状をなし、電線引き出し側端部２０ｂが開口側端部３０ｃと嵌合可能に軸Ａに直交する断面外形が円状をなすので、電線保護規制カバー３０がコネクタハウジング２０に対して回転角度に自由度を持って軸中心に回転することができる。
【００４８】
なお、本発明の実施例に係るコネクタユニット１は、電線保護規制カバー３０が軸対称であるものを例示したが、これに限らず、有底の筒状をなしていればよい。例えば、断面外形が長方形状をなすものであっても構わない。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１、２          コネクタユニット
１０、１１      コネクタ
２０、５０      コネクタハウジング
２０ａ、５０ａ  電線引き出し口
２０ｂ、５０ｂ  電線引き出し側端部
２１            端子収容室
３０、６０      電線保護規制カバー
３０ａ、６０ａ  側壁
３０ｂ、６０ｂ  底壁
３０ｃ、６０ｃ  開口側端部
３０ｄ、６０ｄ  外表面
３１、６１      電線挿通口
３２            ガイドスリット
３３            押圧操作面
４０、７０      軸中心回転用係止部
４１、７１      カバー側係止部
４１ａ          カバー側係止突起
７１ａ          カバー側係止凸部
４２、７２      コネクタ側係止部
４２ａ          コネクタ側係止突起
７２ａ          コネクタ側係止凹部
１００          相手コネクタ
Ａ              軸
Ｃ              端子
Ｗ              電線
【図１】
2015088256.tif 000003
【図２】
2015088256.tif 000004
【図３】
2015088256.tif 000005
【図４】
2015088256.tif 000006
【図５】
2015088256.tif 000007
【図６】
2015088256.tif 000008
【図７】
2015088256.tif 000009
【図８】
2015088256.tif 000010
【図９】
2015088256.tif 000011
【図１０】
2015088256.tif 000012